(57)【要約】【課題】  延長管の両端に着脱可能な付属吸口などを有するものにおいては、延長管に取り付けた係止部を、ホース継手部近傍に形成した被係止部に係止して縦置き収納する場合、付属吸口の接続位置により延長管に設けられた係止部とホース継手部近傍に設けられた被係止部の位置関係が異なってしまうため、使用者は縦置き収納する場合の付属吸口の接続部位を任意に選択することができない。【解決手段】  延長管に係止部を備え、掃除機本体の持運びの際に使用者が握る握り具に被係止部を複数備える。【選択図】図５
2006075306.tif 000002
【特許請求の範囲】
【請求項１】
電動送風機と集塵部を有するとともにホース接続部を備えた掃除機本体と、前記ホース接続部に嵌合するホース継手部を備えたホースと、前記ホース継手部に嵌合し、前記掃除機本体の持運びの際に使用者が握る握り具と、前記ホースに接続する延長管と、前記延長管に接続する吸口を有する電気掃除機において、
前記延長管は係止部を備え、前記握り具に前記係止部と嵌合する被係止部を複数備えたことを特徴とする電気掃除機。
【請求項２】
電動送風機と集塵部を有するとともにホース接続部を備えた掃除機本体と、前記ホース接続部に嵌合するホース継手部を備えたホースと、前記ホースに接続する延長管と、前記延長管に接続する吸口を有する電気掃除機において、
前記延長管は係止部を備え、前記掃除機本体の掃除状態における床面側に前記係止部に嵌合する被係止部を複数備えたことを特徴とする電気掃除機。
【請求項３】
電動送風機と集塵部を有するとともにホース接続部を備えた掃除機本体と、前記ホース接続部に嵌合するホース継手部を備えたホースと、前記ホースに接続する延長管と、前記延長管に接続する吸口を有する電気掃除機において、
前記延長管は係止部を備え、前記ホース継手部と一体に前記係止部に嵌合する被係止部を複数備えたことを特徴とする電気掃除機。
【請求項４】
請求項１〜３のいずれかにおいて、
前記複数の被係止部は、略同一角度の溝であり、前記複数の係止部同士は段差を形成する位置関係であることを特徴とする電気掃除機。
【請求項５】
請求項１〜４のいずれかにおいて、
前記複数の被係止部は、各々深さが異なる溝であることを特徴とする電気掃除機。
【発明の詳細な説明】
【技術分野】
【０００１】
本発明は電気掃除機に関する。
【背景技術】
【０００２】
従来、例えば特許第３１８１５６２号のように、縦置き収納する電気掃除機が開示されている。図８は従来の電気掃除機の縦置き収納状態を示す図であり、図９は従来の電気掃除機における係止部の係止状態を示す拡大図である。電気掃除機を使用しないときには、電気掃除機本体の後面を床面に対向配置して電気掃除機本体を起立配置する。そして、前記延長管に取り付けた係止部２１６の係止用の突起を、前記ホース継手部２１０に形成した被係止部２１５の係止用の溝部に嵌合して係止する。
【０００３】
また従来、図７に示すような握り具７０１を有する電気掃除機もあった。握り具７０１は嵌合部７０４でホース継手部と嵌合し、使用者は掃除機本体を持ち運ぶ際に握り部７０２を利用する。延長管の係止部に嵌合する被係止部７０３は握り具７０１と一体に形成されている。
【０００４】
一方、図３のように延長管３０２に着脱可能な付属吸口３０３などが接続される場合がある。付属吸口３０３は、例えば高所や家具の隙間などを掃除する場合などに、吸口３０４を延長管３０３より外したときに使用するもので、付属吸口３０３の先端にはブラシが設けられている。付属吸口３０３は延長管３０２の吸口３０４側のみならず、手元操作部３０５側にも接続可能であり、使用者は被掃除面に応じて、付属吸口３０３を接続する部位を選択することができる。
【０００５】
【特許文献１】特許第３１８１５６２号公報
【発明の開示】
【発明が解決しようとする課題】
【０００６】
従来の電気掃除機においては、付属吸口３０３の接続部位により延長管３０２に設けられた係止部（図示せず）とホース継手部近傍に設けられた被係止部（図示せず）の位置関係が異なるため、使用者は縦置き収納する場合の付属吸口３０３の接続部位を任意に選択することができない。
【０００７】
本発明はの目的は上記課題を解決し、付属吸口３０３などの接続状態によらず縦置き収納が可能な電気掃除機を提供することにある。
【課題を解決するための手段】
【０００８】
上記目的を達成するために本発明の特徴とするところは、電動送風機と集塵部を有するとともにホース接続部を備えた掃除機本体と、前記ホース接続部に嵌合するホース継手部を備えたホースと、前記ホース継手部に嵌合し、前記掃除機本体の持運びの際に使用者が握る握り具と、前記ホースに接続する延長管と、前記延長管に接続する吸口を有する電気掃除機において、前記延長管は係止部を備え、前記握り具に前記係止部と嵌合する被係止部を複数備えたことにある。
【０００９】
また、本発明の特徴とするところは、電動送風機と集塵部を有するとともにホース接続部を備えた掃除機本体と、前記ホース接続部に嵌合するホース継手部を備えたホースと、前記ホースに接続する延長管と、前記延長管に接続する吸口を有する電気掃除機において、前記延長管は係止部を備え、前記掃除機本体の掃除状態における床面側に前記係止部に嵌合する被係止部を複数備えたことにある。
【００１０】
さらに、本発明の特徴とするところは、電動送風機と集塵部を有するとともにホース接続部を備えた掃除機本体と、前記ホース接続部に嵌合するホース継手部を備えたホースと、前記ホースに接続する延長管と、前記延長管に接続する吸口を有する電気掃除機において、前記延長管は係止部を備え、前記ホース継手部と一体に前記係止部に嵌合する被係止部を複数備えたことにある。
【００１１】
さらにまた、前記電気掃除機において、前記複数の被係止部は、略同一角度の溝であり、前記複数の係止部同士は段差を形成する位置関係とした。
【００１２】
また、前記電気掃除機において、前記複数の被係止部は、各々深さが異なる溝となるようにした。
【発明の効果】
【００１３】
本発明によれば、付属吸口などの接続状態によらず、電気掃除機を縦置き収納することが可能となり、使い勝手が向上する。
【００１４】
さらに、複数の被係止部を略同一角度の溝とすれば、複数の被係止部は１つのスライド駒によって成形することが可能となる。また、このスライド駒のストロークは被係止部１つ分を成形するだけのストロークでよいため金型の小形化が可能である。
【００１５】
また、複数の被係止部同士で段差を設けることで、不使用の被係止部が使用者の係合作業時にガイドとなるため、使い勝手が向上する。
【００１６】
また、複数の被係止部を電気掃除機本体底面形成しても、電気掃除機本体の外観を損なうことなく、複数の被係止部を形成することができる。
【００１７】
また、複数の被係止部をホース継手部と一体に形成すれば、握り具のない掃除機においても複数の係止部を形成することができ、また、電気掃除本体の寸法に影響を与えないため、設計の自由度が増加する。
【発明を実施するための最良の形態】
【００１８】
以下、本発明の実施例を添付の図面を用いて説明する。図３は本実施形態の電気掃除機の外観斜視図であり、図２はその断面図である。
【００１９】
これらの図において、２０１は掃除機本体、２０２は吸引用のモータ、２０６はモータ２０２の回転数を制御する制御回路、２０３は吸込んだ塵埃を溜める集塵部、３０１はホース、２０４は電気掃除機本体に設けたホース接続部、３０５は手元操作部、１０１はホース継手部に嵌合し、掃除機本体２０１を持ち運ぶ際に使用する握り具、３０２は延長管、３０４は吸口、３０３付属吸口である。付属吸口３０３は延長管３０２の手元操作部３０５側と吸口３０４側の双方に接続可能である。
【００２０】
図１は握り具１０１の斜視図であり、図４は本実施例に係る電気掃除機の縦置き収納状態を示す図であり、図５は本実施例に係る係止部の係止状態を示す拡大斜視図である。
【００２１】
握り具１０１はホース継手部との嵌合部１０５と、２つの被係止部（上）１０３、（下）１０４を有する。電気掃除機を使用しないときには、電気掃除機本体２０１の後面を床面に対向配置して電気掃除機本体２０１を起立配置する。
【００２２】
図４に示すように付属吸口３０３が延長管３０２の吸口３０４側に接続されている場合、延長管３０２に設けた係止部５０１の係止用の突起を、握り具１０１に形成した被係止部（上）１０３に嵌合して係止する。
【００２３】
一方、付属吸口３０３が延長管３０２の手元操作部３０５側に接続されている場合、延長管３０２に設けた係止部５０１の係止用の突起を、握り部１０１に形成した被係止部（下）１０４に嵌合して係止する。
【００２４】
図６は握り具１０１の断面図を示す。握り具１０１を成形する金型の構造において、２つの被係止部（上）１０３、（下）１０４は略同一角度かつ、略同一深さの溝としているため、これらは１つのスライド駒によって成形することが可能となる。また、このスライド駒のストロークは図６におけるＡ（Ｂ）、すなわち被係止部（上）１０３（（下）１０４）１つ分を成形するだけのストロークでよいため金型の小形化が可能であり、より安価な金型で成形することができる。
【００２５】
被係止部の溝の深さ（図６におけるＡとＢを指す）は、被係止部（上）１０３、（下）１０４によって異なってもよい。例えば、被係止部（上）１０３の溝の深さ（Ｂ）が被係止部（下）１０４の溝の深さ（Ａ）より小さい場合、被係止部（上）１０３を成形するスライド駒の部分は被係止部（下）１０４を成形するスライド駒の部分よりも先に離型する。このため、金型の離型を確実に行うことができる。
【００２６】
また被係止部（上）１０３と（下）１０４は図１および図６に示すように段差を有して形成されている。例えば被係止部（下）１０４に係止部５０１を係合する際、図６におけるＤの面がガイドとなるため、使用者は縦置き収納時の係合作業を、容易に行うことができる。
【００２７】
本実施例では、複数の被係止部を握り具と一体に形成しているが、これに限らず、複数の被係止部を本体の底面に形成してもよい。これにより、本体の外観を損なうことなく、複数の被係止部を形成することができる。
【００２８】
また、複数の被係止部をホース継手部と一体に形成してもよい。これにより、握り具のない掃除機においても複数の係止部を形成することができ、また、電気掃除本体の寸法に影響を与えないため、設計の自由度が増加する。
【図面の簡単な説明】
【００２９】
【図１】本発明の実施例に係る握り具の斜視図である。
【図２】本発明の実施例に係る電気掃除機本体の断面図である。
【図３】本発明の実施例に係る電気掃除機の斜視図である。
【図４】本発明の実施例に係る電気掃除機の縦置き収納状態を示す図である。
【図５】本発明の実施例に係る電気掃除機の係止部の係止状態を示す拡大斜視図である。
【図６】本発明の実施例に係る握り具の断面図である。
【図７】従来の電気掃除機に係る握り具の斜視図である。
【図８】従来の電気掃除機に係る縦置き収納状態を示す図である。
【図９】従来の電気掃除機に係る係止部の係止状態を示す拡大斜視図である。
【符号の説明】
【００３０】
１０１…握り具、１０２…握り部、１０３…被係止部（上）、１０４…被係止部（下）、１０５… ホース継手部との嵌合部、２０１… 電気掃除機本体、２０２…吸引用のモータ、２０３…集塵部、２０４…ホース接続部、３０１…ホース、３０２…延長管、３０３…付属吸口、３０４…吸口、３０５…手元操作部、５０１…係止部。
【図１】
2006075306.tif 000003
【図２】
2006075306.tif 000004
【図３】
2006075306.tif 000005
【図４】
2006075306.tif 000006
【図５】
2006075306.tif 000007
【図６】
2006075306.tif 000008
【図７】
2006075306.tif 000009
【図８】
2006075306.tif 000010
【図９】
2006075306.tif 000011